(57)【特許請求の範囲】
【請求項１】
受枠の取付座に着脱可能に係止される転落防止蓋と、この転落防止蓋の下方に連結される断熱蓋とからなる地下構造物用蓋の断熱装置において、前記断熱蓋が転落防止蓋に対して水平回転可能に連結されていることを特徴とする地下構造物用蓋の断熱装置。
【請求項２】
転落防止蓋の下方に断熱蓋を上部支持部材と下部支持部材とにより挟持して連結したことを特徴とする請求項１記載の地下構造物用蓋の断熱装置。
【請求項３】
受枠の取付座に着脱可能に係止される転落防止蓋と、この転落防止蓋の下方に連結される断熱蓋とからなる地下構造物用蓋の断熱装置において、転落防止蓋の下方に断熱蓋を上部支持部材と下部支持部材とにより挟持して連結したことを特徴とする地下構造物用蓋の断熱装置。
【請求項４】
断熱蓋を可撓性材料で形成するとともに、下部支持部材を転落防止蓋に対して上下動可能に連結し、上部支持部材又は下部支持部材には下部支持部材を上昇させたときに断熱蓋が入り込む空洞部を形成したことを特徴とする請求項２又は３記載の地下構造物用蓋の断熱装置。
【請求項５】
断熱蓋を可撓性材料で形成するとともに、上部支持部材を転落防止蓋に対して上下動可能に連結し、上部支持部材又は下部支持部材には上部支持部材を下降させたときに断熱蓋が入り込む空洞部を形成したことを特徴とする請求項２又は３記載の地下構造物用蓋の断熱装置。
【発明の詳細な説明】
【０００１】
【発明の属する技術分野】
本発明は、地下構造物の上端部に設置される地下構造物用蓋に使用する地下構造物用蓋の断熱装置に関する。
【０００２】
なお、本願明細書でいう「地下構造物用蓋」とは、下水道における地下埋設物，地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管及びその付属機器と地上とを結ぶ開閉扉としての機能を有する消火栓蓋，制水弁蓋，仕切弁蓋，空気弁蓋，ガス配管用蓋，量水器蓋等を総称する。
【０００３】
【従来の技術】
地下構造物用蓋は、地下構造物の上端部に設置される受枠と、これに支持される蓋本体とからなり、蓋本体の上面が地表面に露出するように設置されているが、地下構造物用蓋はその多くが熱伝導性のよい鋳鉄等の金属製であるため、例えばマンホール蓋等の場合は、降雪時において、下水道を通る温水等の熱によって蓋本体の上面側のみが融雪して周りの積雪部分との境界に段差を生じ、車両や歩行者の通行の障害となる場合がある。
【０００４】
そのため、従来より、例えば、実開昭６４−１４２４６号公報に記載のように、合成樹脂発泡体よりなる内蓋をマンホール本体の開口部に嵌着することによって、マンホール内部と外蓋の間を断熱し、融雪を防止する構造が知られている。
【０００５】
【発明が解決しようとする課題】
しかしながら、上記公報に記載のものは、断熱性を向上させるために内蓋を軟質の合成樹脂発泡体で形成しているので、外蓋の開閉作業時あるいは外蓋の開放後に、作業者が誤って内蓋の上に載るとマンホール内に転落する恐れがあった。また、内蓋を外蓋に連結した場合は、外蓋を開けると内蓋が外れてしまうので、同様に作業者が転落する恐れがあった。
【０００６】
本発明が解決しようとする課題は、地下構造物内への転落防止構造と、地下構造物内部と地下構造物用蓋の間の断熱構造とを兼ね備えた地下構造物用蓋の断熱装置を提供することにある。
【０００７】
【課題を解決するための手段】
本発明の地下構造物用蓋の断熱装置は、受枠の取付座に着脱可能に係止される転落防止蓋と、この転落防止蓋の下方に連結される断熱蓋とからなる地下構造物用蓋の断熱装置において、前記断熱蓋が転落防止蓋に対して水平回転可能に連結されていることを特徴とする。
【０００８】
これにより、地下構造物内部と地下構造物用蓋の間の断熱が可能であるとともに、地下構造物内への転落を防止することができる。さらに、断熱蓋を地下構造物の開口部に装着後、転落防止蓋を水平回転させて位置合わせをすることができるので受枠の取付座に容易に係止させることができる。
【０００９】
また、本発明の地下構造物用蓋の断熱装置は、受枠の取付座に着脱可能に係止される転落防止蓋と、この転落防止蓋の下方に連結される断熱蓋とからなる地下構造物用蓋の断熱装置において、転落防止蓋の下方に断熱蓋を上部支持部材と下部支持部材とにより挟持して連結したことを特徴とする。
【００１０】
これによっても、地下構造物内部と地下構造物用蓋の間の断熱が可能であるとともに、地下構造物内への転落を防止することができる。さらに、断熱蓋のぐらつきが防止され、断熱装置の着脱が容易に行える。
【００１１】
【発明の実施の形態】
本発明では、断熱蓋を可撓性材料で形成するとともに、下部支持部材を転落防止蓋に対して上下動可能に連結し、上部支持部材又は下部支持部材には下部支持部材を上昇させたときに断熱蓋が入り込む空洞部を形成している。このような構成にすることで、下部支持部材を上昇させたときに断熱蓋を折り曲げることができるので、断熱装置の着脱がより一層容易に行える。
【００１２】
上部支持部材を転落防止蓋に対して上下動可能に連結し、上部支持部材又は下部支持部材には上部支持部材を下降させたときに断熱蓋が入り込む空洞部を形成したものでも、上部支持部材を下降させたときに断熱蓋を折り曲げることができるので、断熱装置の着脱がより一層容易に行える。
【００１３】
【実施例】
図ｌは本発明の地下構造物用蓋の断熱装置を受枠に取り付けた状態を示し、図ｌ−（ａ）はその平面図、図ｌ−（ｂ）は図ｌ−（ａ）のＡ−Ａ断面図、図２は受枠の平面図、図３は本発明の地下構造物用蓋の断熱装置を示し、図３−（ａ）はその平面図、図３−（ｂ）は図３−（ａ）のＢ−Ｂ断面図である。
【００１４】
図ｌにおいて、地下構造物用蓋の断熱装置１（以下単に「断熱装置１」という。）は、地下構造物の上部側塊２に固定された受枠３に係止されている。なお、図１においては、受枠３に支持される蓋本体は省略している。
【００１５】
受枠３の内周面には、図２に示すように、断熱装置１を係止させるための取付座４を等間隔で６カ所設けている。これらの取付座４は内側に突出する水平の弓形状棚部４ａと弓形状棚部４ａから上方に突設した突起４ｂを有している。
【００１６】
図３に示すように、断熱装置１は、転落防止蓋５とその下方に連結された断熱蓋８とで構成されている。
【００１７】
転落防止蓋５は、メッシュ状に形成された蓋体５ａと蓋体５ａの外周縁から一体的に立ち上げた板状の係合具６を有しており、係合具６には、受枠３に形成した取付座４の突起４ｂに嵌合可能な切欠６ａを設けている。
【００１８】
転落防止蓋５は、人が載っても十分に耐えうるだけの強度を有する材質・構造としており、本実施例では転落防止蓋５を硬質の合成樹脂（ポリプロピレン）で形成し、蓋体５ａの底面部には格子状に補強リブ７を設けている。
【００１９】
また、転落防止蓋５には、把手５ｂ，５ｂを設けて持運び及び取り扱い易くしている。
【００２０】
断熱蓋８は、蓋体５ａの下面に設けたリング状の上部支持部材１０と蓋体５ａの中央の貫通孔９に挿通された支軸としてのボルト１２の下部に設けた円盤状の下部支持部材１１によって挟持されており、ボルト１２を介して転落防止蓋５に対して水平回転可能に連結されている。なお、下部支持部材１１は、ボルト１２の下部に螺合するナット１３によって支持されており、ナット１３を回転させることによって、断熱蓋８の厚さに合わせて適度な力で断熱蓋８を挟持することができる。
【００２１】
断熱蓋８の大きさは、図１に示すように上部側塊２の開口部を密閉できる大きさとしており、密閉性及び断熱性を高めるために断熱性を有する可撓性材料（本実施例では発泡ポリエチレン）で形成している。
【００２２】
以上の構成において、断熱装置１を受枠３に取り付けるときには、把手５ｂ，５ｂを持って断熱蓋８を上部側塊２の開口部内に押し込み装着した後に、転落防止蓋５に設けた係合具６の切欠６ａを受枠３に設けた取付座４の突起４ｂに合わせて嵌合させればよく、取り外すときには、把手５ｂ，５ｂを持ってそのまま引き上げればよい。
【００２３】
本実施例では、断熱蓋８が上部支持部材１０と下部支持部材１１によって挟持されているので上部側塊２の開口部内に押し込むときに断熱蓋８のぐらつきが防止され、断熱蓋８をスムーズに装着することができる。更に、断熱蓋８が転落防止蓋５に対して水平回転可能に連結されているので、断熱蓋８を上部側塊２の開口部に装着した後に転落防止蓋５を水平回転させることによって、係合具６の切欠６ｂの位置を取付座４の突起４ｂの位置に簡単に合せることができる。
【００２４】
図４は本発明の地下構造物用蓋の断熱装置の別実施例を示す断面図である。なお、前記実施例と同一部分は同一符号で示し、その説明は省略する。
【００２５】
図４に示す実施例においては、円盤状の下部支持部材１１が転落防止蓋５に対して上下動可能に連結されており、上部支持部材１０には下方に開口する空洞部１０ａを設けている。なお、この空洞部１０ａの大きさは、下部支持部材１１よりも大きくしている。
【００２６】
このような構成にすることにより、ボルト１２を引き上げて下部支持部材１１を上昇させたときに図４に示すように断熱蓋８が下部支持部材１１に押されて空洞部１０ａの中に入り込み、折り曲げられるようになる。その結果、断熱蓋８が上部側塊２の内周壁と干渉しなくなるので、断熱装置１の脱着を容易に行うことができる。
【００２７】
なお、図４の実施例では上部支持部材に空洞部を設けたが、下部支持部材に空洞部を設けてもよい。この場合、空洞部の大きさを上部支持部材より大きくしておけば、下部支持部材を上昇させたときに断熱蓋が上部支持部材に押されて空洞部の中に入り込み、折り曲げられる。また、図４の実施例では下部支持部材を上下動可能としたが、上部支持部材を上下動可能としてもよい。この場合も、上記と同様に上部支持部材又は下部支持部材に空洞部を設けておけば、上部支持部材を下降させたときに断熱蓋が空洞部に入り込み、折り曲げられる。
【００２８】
以上の実施例では、受枠の取付座に突起を設け、これに係止される転落防止蓋の係合具に切欠を設ける構造としたが、無論これに限定されるものではなく、逆に受枠の取付座に切欠を設け、係合具に突起を形成してもよい。また、係合具の形状についても、板状に限定されるものではなく、例えば棒状とし、受枠の取付座に係止させるようにしてもよい。
【００２９】
【発明の効果】
１）本発明の地下構造物用蓋の断熱装置は、転落防止蓋と断熱蓋を有しているので、地下構造物内部と地下構造物蓋の間の断熱が可能であるとともに、地下構造物内への転落を防止できる。
【００３０】
２）断熱蓋を転落防止蓋に対して水平回転可能に連結しているので、断熱蓋を地下構造物の開口部に装着後、転落防止蓋を水平回転させて位置合わせをすることができ、受枠の取付座に容易に係止させることができる。
【００３１】
３）断熱蓋を上部支持部材と下部支持部材とにより挟持して連結しているので、断熱蓋のぐらつきが防止され、断熱装置の着脱が容易に行える。
【００３２】
４）断熱蓋を可撓性材料で形成するとともに、下部支持部材を転落防止蓋に対して上下動可能に連結し、上部支持部材又は下部支持部材には下部支持部材を上昇させたときに断熱蓋が入り込む空洞部を形成しているので、下部支持部材を上昇させたときに断熱蓋を折り曲げることができ、断熱装置の着脱がより一層容易に行える。上部支持部材を転落防止蓋に対して上下動可能に連結した場合も同様の効果が得られる。
【図面の簡単な説明】
【図１】本発明の地下構造物用蓋の断熱装置を受枠に取り付けた状態を示し、図ｌ−（ａ）はその平面図、図ｌ−（ｂ）は図ｌ−（ａ）のＡ−Ａ断面図である。
【図２】受枠の平面図である。
【図３】本発明の地下構造物用蓋の断熱装置の１実施例を示し、図３−（ａ）はその平面図、図３−（ｂ）は図３−（ａ）のＢ−Ｂ断面図である。
【図４】本発明の地下構造物用蓋の断熱装置の別実施例を示す断面図である。
【符号の説明】
１    地下構造物用蓋の断熱装置
２    上部側塊
３    受枠
４    取付座
４ａ  弓形状棚部
４ｂ  突起
５    転落防止蓋
５ａ  蓋体
５ｂ  把手
６    係合具
６ａ  切欠
７    補強リブ
８    断熱蓋
９    貫通孔
１０    上部支持部材
１０ａ  空洞部
１１    下部支持部材
１２    ボルト
１３    ナット
【図１】
0003871233.tif 000002
【図２】
0003871233.tif 000003
【図３】
0003871233.tif 000004
【図４】
0003871233.tif 000005